(57)【特許請求の範囲】
【請求項１】
粉末や粒状物である内容物が充填された内容物充填袋状容器を解袋して内容物を排出させる袋状容器の解袋装置であって、
内容物充填袋状容器を吊り下げた状態にて収容する収容部と、
前記収容部に収容された内容物充填袋状容器の外周に沿って移動して袋状容器を周方向に切断する切断手段と、
前記収容部に収容された内容物充填袋状容器を下側から支持すると共に当該支持を解放可能に構成された支持手段と、
前記切断手段の上方に設けられ、前記収容部に収容された内容物充填袋状容器を、アクチュエータにより駆動される可動壁であって、円弧状に形成された板状部材により構成され前記収容部に収容された内容物充填袋状容器の外周に当接する可動壁により、外周から締め付けて固定すると共に、当該固定を解放可能に構成された固定手段と、
を含んで構成され、
前記切断手段による切断の際に、前記固定手段は前記収容部に収容された内容物充填袋状容器を可動壁により外周から締め付けて固定すると共に、前記支持手段は内容物充填袋状容器を下側から支持する一方、
前記切断手段による切断の後に、前記支持手段による支持を解放して排出口を開放すること
を特徴とする袋状容器の解袋装置。
【請求項２】
前記切断手段は、袋状容器の周方向の一部に非切断部を残して袋状容器を周方向に切断することを特徴とする請求項１に記載の袋状容器の解袋装置。
【請求項３】
前記支持手段は、前記収容部に収容された内容物充填袋状容器の外周側に設けられ対面配置される一対の枢軸に回動自在に支持される一対の開閉板を含んで構成され、
該一対の開閉板を、対応する枢軸廻りに上方に回動させて閉じた状態とし、この状態にて前記内容物充填袋状容器を下側から支持する一方、
前記一対の開閉板を、対応する枢軸廻りに下方に回動させて開いた状態とし、この状態にて前記内容物充填袋状容器の支持を解放して排出口を開放することを特徴とする請求項１又は請求項２に記載の袋状容器の解袋装置。
【請求項４】
袋状容器の水平断面における外周形状が円形状であることを特徴とする請求項１〜請求項３の何れか一つに記載の袋状容器の解袋装置。
【発明の詳細な説明】
【技術分野】
【０００１】
本発明は、コンテナバッグ等の袋状容器を解袋（破袋）して、充填されている内容物を排出させる解袋装置に関する。より詳しくは、排出した内容物と分別して袋状容器を回収することができる解袋装置に関する。
【背景技術】
【０００２】
例えば、放射性物質汚染対処特措法に規定される除染に伴い発生する対策地域内廃棄物等特定廃棄物は、仮設焼却炉にて焼却され、フレキシブルコンテナバッグに充填されて保管されている。
【０００３】
なお、フレキシブルコンテナバッグ (Ｆｌｅｘｉｂｌｅ Ｃｏｎｔａｉｎｅｒｓ) は、粉末や粒状物の荷物を保管・運搬するための袋状の包材のことであり、略してフレコン、コンテナバッグ、フレコンバッグなどと称される。１トン程度の重量物を充填できる容積・強度のものが主流であり、ポリエチレンやポリプロピレン等の丈夫な化学繊維で織られたシートとベルトより構成され、開閉可能な上部開口から穀物や飼料、土砂などの粉状物質などの内容物は充填される。このような内容物の梱包・輸送に適している。フレキシブルコンテナバッグ全体を支える丈夫な吊りベルトの長いループ部が上部に付いており、フレキシブルコンテナバッグをフォークリフトやクレーン等で持ち上げることができるように構成されているものが多い（図９等参照）。
【０００４】
このようなフレキシブルコンテナバッグに充填されて保管されている除染廃棄物の焼却灰は、最終処分場へと運搬され、そこで埋立処分が行われる計画となっている（特許文献１）。
【先行技術文献】
【特許文献】
【０００５】
【特許文献１】特開２０１５−１４２８９２号公報
【特許文献２】特開２０１４−１３３１９５号公報
【特許文献３】特開２０１５−８５２１２号公報
【発明の概要】
【発明が解決しようとする課題】
【０００６】
ところで、現在、現場において、実際に内容物が充填されて保管されているフレキシブルコンテナバッグは、図９に示すように、水平断面における外周形状が円形状であるため、或いは水平断面形状が矩形形状などであっても内容物が充填されると側壁が外側にはらむため、埋立作業を行おうとすると、隣接するフレキシブルコンテナバッグの間に空隙が形成され、埋設スペースに無駄なスペースが増えると共に、地盤の強度が安定しないなどといったことが懸念される。
【０００７】
このようなことから、現場では、焼却灰を、略円柱形状のフレキシブルコンテナバッグから、比較的厚みの薄い六面体の袋状容器などに詰め替えることで、上述した埋め立て時に生じる空隙を小さくすることが求められている。
【０００８】
ところで、除染廃棄物の焼却灰には放射性物質が含まれているため、フレキシブルコンテナバッグに残留物を残さずに、また、作業者の人力作業を伴わずに、焼却灰をフレキシブルコンテナバッグから排出する必要がある。
【０００９】
しかしながら、フレキシブルコンテナバッグに充填されている除染廃棄物の焼却灰は流動性が少ないため、残留物なくフレキシブルコンテナバッグから内容物を排出させることは難しいのが実情である。
【００１０】
なお、従来のフレキシブルコンテナバッグの解袋機（破袋機）としては、特許文献２や特許文献３などで提案されているが、これらは、フレキシブルコンテナバックを対面配置されている回転カッター等に投入することで破袋するものであるが、排出した内容物と、フレキシブルコンテナバッグと、を綺麗に分別する（別々に分ける）ができないため、除染廃棄物の焼却灰に塗れたフレキシブルコンテナバッグの後処理が煩雑になるといった実情がある。
【００１１】
すなわち、処分の都合上、残留物なくフレキシブルコンテナバッグから内容物を排出させることができると共に、フレキシブルコンテナバッグと、排出した内容物と、を綺麗に分別できることが要求されるが、特許文献２や特許文献３に記載されている装置では、かかる要求に応えることができないものであった。
【００１２】
但し、除染廃棄物の焼却灰を内容物とする場合に限定されるものではなく、他の内容物であっても、詰め替え要請が生じたときには、フレキシブルコンテナバッグから内容物を綺麗に分別しながら排出したいといった要求は存在する。
【００１３】
本発明は、かかる実情に鑑みなされたもので、比較的簡単で低コストな構成でありながら、袋状容器（例えばフレキシブルコンテナバッグ）と内容物とを分別しながら、袋状容器から内容物を排出させることができる袋状容器の解袋装置を提供することを目的とする。
【課題を解決するための手段】
【００１４】
このため、本発明は、
粉末や粒状物である内容物が充填された内容物充填袋状容器を解袋して内容物を排出させる袋状容器の解袋装置であって、
内容物充填袋状容器を吊り下げた状態にて収容する収容部と、
前記収容部に収容された内容物充填袋状容器の外周に沿って移動して袋状容器を周方向に切断する切断手段と、
前記収容部に収容された内容物充填袋状容器を下側から支持すると共に当該支持を解放可能に構成された支持手段と、
前記切断手段の上方に設けられ、前記収容部に収容された内容物充填袋状容器を、アクチュエータにより駆動される可動壁であって、円弧状に形成された板状部材により構成され前記収容部に収容された内容物充填袋状容器の外周に当接する可動壁により、外周から締め付けて固定すると共に、当該固定を解放可能に構成された固定手段と、
を含んで構成され、
前記切断手段による切断の際に、前記固定手段は前記収容部に収容された内容物充填袋状容器を可動壁により外周から締め付けて固定すると共に、前記支持手段は内容物充填袋状容器を下側から支持する一方、
前記切断手段による切断の後に、前記支持手段による支持を解放して排出口を開放すること
を特徴とする。
【００１５】
本発明において、前記切断手段は、袋状容器の周方向の一部に非切断部を残して袋状容器を周方向に切断することを特徴とすることができる。
【００１６】
本発明において、前記支持手段は、前記収容部に収容された内容物充填袋状容器の外周側に設けられ対面配置される一対の枢軸に回動自在に支持される一対の開閉板を含んで構成され、
該一対の開閉板を、対応する枢軸廻りに上方に回動させて閉じた状態とし、この状態にて前記内容物充填袋状容器を下側から支持する一方、
前記一対の開閉板を、対応する枢軸廻りに下方に回動させて開いた状態とし、この状態にて前記内容物充填袋状容器の支持を解放して排出口を開放することを特徴とすることができる。
【００１７】
本発明において、袋状容器の水平断面における外周形状が円形状であることを特徴とすることができる。
【発明の効果】
【００１８】
本発明によれば、比較的簡単で低コストな構成でありながら、袋状容器（例えばフレキシブルコンテナバッグ）と内容物とを分別しながら、袋状容器から内容物を排出させることができる袋状容器の解袋装置を提供することができる。
【図面の簡単な説明】
【００１９】
【図１】本発明の一実施の形態に係る解袋装置が利用される詰替えプラント（フレコンバッグの内容物を指定収納容器に詰め替えるための詰替えプラント）の一例を示す斜視図である。
【図２】（Ａ）は同上実施の形態に係る解袋装置の全体を示す斜視図であり、（Ｂ）は該解袋装置へのフレコン（フレコンバッグ）の搬入の様子を示す斜視図である。
【図３】同上実施の形態に係る解袋装置の固定装置、カッター装置、支持装置を抜き出して示す斜視図である。
【図４】同上実施の形態に係る解袋装置の固定装置の固定方法（締め付け方法）を説明するための水平方向断面図である。
【図５】同上実施の形態に係る解袋装置の固定装置に固定されると共に支持装置により下側を支持されたフレコンバッグをカッター装置により周方向に切断する方法を説明するための斜視図である。
【図６】同上実施の形態に係る解袋装置のカッター装置によるフレコンバッグの周方向の切断を説明するための水平方向断面図である。
【図７】同上実施の形態に係る解袋装置の支持装置を解放して排出口を開放した状態を示す斜視図である。
【図８】同上実施の形態に係る解袋装置において内容物が充填されているフレコンバッグからフレコンバッグと内容物とを分別しながら、内容物を排出するプロセスを説明するための工程図の一例である。
【図９】断面略円形状のフレキシブルコンテナバッグの一構成例を示す斜視投影図である。
【発明を実施するための形態】
【００２０】
以下、本発明に係る実施の形態を、添付の図面を参照しつつ説明する。なお、以下で説明する実施の形態により、本発明が限定されるものではない。
【００２１】
本発明の一実施の形態に係る袋状容器（フレキシブルコンテナバッグ）の解袋装置（解袋機、破袋装置、破袋機）１００は、図１に示すように、除染廃棄物の焼却灰が充填された円柱状（水平断面における外周形状が円形状）のフレキシブルコンテナバッグ（以下、フレコンバッグとも称する。本発明の袋状容器の一例に相当する。）１０を、比較的厚みの薄い六面体の袋状容器（指定収納容器）３０に詰め替えるための詰替えプラント等に利用されることができる。
【００２２】
但し、フレコンバッグ１０の内容物はこれに限定されるものではなく、本発明は他の種  類の内容物に適用可能である。
【００２３】
なお、内容物が充填されていないフレコンバッグ１０の構成例を図９に示すが、上面開口で有底の円筒状容器（バケット）で、吊り下げ用のベルト１１を備えて構成され、ポリエチレンやポリプロピレン等の丈夫な化学繊維により形成されている。
【００２４】
図１に従ってより詳しく説明する。
（ステップ１）
トラック等により搬入された焼却灰が充填されたフレコンバッグ１０は、前処理ヤードで前処理（水切りなど）が施された後、フォークリフトなどによりループ状ベルト１１を介して吊り下げられて、上方から解袋装置１００に搬入される（図１の（１）「既存収納容器荷下ろし」、（２）「水切り（脱水）」を参照）。
【００２５】
（ステップ２）
解袋装置１００に搬入（供給）された焼却灰充填フレコンバッグ１０は、後述する方法により、周方向に一部を残して破袋されて、内容物である焼却灰を下方へ排出する（図１の（３）「既存収納容器解袋」を参照）。
このとき、フレコンバッグ１０は解袋装置１００内に保持されたままとなるので、フレコンバッグ１０と内容物とを分別しながら、フレコンバッグ１０から内容物を排出することができることになる。
【００２６】
（ステップ３）
解袋装置１の下方に排出された内容物（焼却灰）は、ベルトコンベア２０に載せられて運搬され、終端にて自由落下によりロールクラッシャー（破砕機）に供給され、ここで所定に破砕されて指定収納容器（比較的厚みの薄い六面体の袋状容器）３０に供給（充填）され梱包される（図１の（４）「再破砕および指定収納容器充填、転圧」、（５）「指定収納容器梱包」を参照）。
【００２７】
（ステップ４）
焼却灰が所定に充填された指定収納容器３０を指定収納容器型枠にセットし、トラック等に積込み、埋立場所等へ向けて搬出する（図１の（６）「指定収納容器セット」、（７）指定収納容器積込・搬出）を参照）。
【００２８】
ここで、本実施の形態に係る解袋装置（破袋装置）１００について説明する。
本実施の形態に係る解袋装置１００は、図２（Ａ）、図２（Ｂ）等に示すように、
内容物が充填されたフレコンバッグ１０を上方から吊り下げた状態にて収容する収容部１１０と、
収容部１１０に収容されたフレコンバッグ１０を外周から締め付けて固定すると共に当該固定を解放可能に構成された固定装置１２０と、
前記固定装置１２０により固定されたフレコンバッグ１０の外周に沿って移動してフレコンバック１０を周方向に切断するカッター装置１３０と、
収容部１１０に収容されたフレコンバック１０を下側から支持すると共に当該支持を解放可能に構成された支持装置１４０と、
を含んで構成されている。
【００２９】
そして、本実施の形態に係る解袋装置（破袋装置）１００では、後述するように、
前記カッター装置１３０による切断の際に、前記支持装置１４０はフレコンバッグ１０を下側から支持する一方、
前記カッター装置１３０による切断の後に、前記支持装置１４０による支持を解放して排出口を開放することにより、
袋状容器と内容物とを分別しながら、内容物を排出させるように構成されている。
【００３０】
なお、上記固定装置１２０、カッター装置１３０、支持装置１４０が本発明に係る固定手段、切断手段、支持手段の一例に相当する。
【００３１】
ここで、本実施の形態に係る収容部１１０の側壁は、固定装置１２０の可動壁１２１として機能するように構成されている。
【００３２】
すなわち、本実施の形態に係る固定装置１２０の可動壁１２１は、図２、図３、図４等に示すように、内側に収容される円柱状のフレコンバッグ１０を上方から搬入（挿入）し易いようにフレコンバッグ１０の外周と多少隙間を残してフレコンバッグ１０に対面して配置され、内側が凹となる円弧状に形成された板状部材により構成されている。
なお、図８の（２）に示すように、フレコンバッグ１０はフォークリフト等により吊られて上方から収容部１１０に搬入されるが、搬入後においても、吊り具等によりフレコンバッグ１０は所定高さに吊り下げられている。
【００３３】
また、可動壁１２１は、図３、図４等に示すように、垂直方向に延びる装置中心軸の周方向に関して略三等分（約１２０度）となるように周方向に略均等な長さ（角度範囲）を占めるように形成されている。但し、フレコンバッグ１０の外周形状によっては、可動壁１２１を周方向に関して、四等分など三等分以外で分割した構成とすることができる。
【００３４】
各可動壁１２１は、図２、図３、図４等に示すように、各枢軸１２１Ａ廻りに枢動可能（回動可能）に解袋装置１００本体（フレーム等）に支持されている。そして、基端が枢動可能に解袋装置１００本体（フレーム等）に支持されると共に先端が枢軸１２１Ａから所定に離れた位置にて可動壁１２１に枢動可能に取り付けられている伸縮可能なアクチュエータとしての油圧シリンダ１２２が備えられている。
【００３５】
なお、伸縮可能なアクチュエータは、油圧シリンダ以外の、例えば、空気圧シリンダ、油圧ジャッキ、電動ジャッキなどを利用することができる。
【００３６】
かかる構成によれば、各油圧シリンダ１２２に油圧を供給すると全長が伸長して、先端が装置中心軸（フレコンバッグ１０の中心軸）方向に移動するため、各可動壁１２１は各枢軸１２１Ａ廻りを、図３、図４の押圧方向（締め付け方向）に枢動されて、フレコンバッグ１０を外周側から中心側に向けて所定圧力で締め付ける（押圧する）ことになる（図８の（３）参照）。
【００３７】
これにより、収容部１１０に収容されたフレコンバッグ１０は解袋装置１００本体（フレーム等）に対して締め付け固定されることになる。
【００３８】
この状態で、カッター装置１３０を駆動すると、退避していたカッター装置１３０の回転刃１３１が回転されると共に、カッター装置１３０はフレコンバッグ１０の中心位置（装置中心軸）に向けて移動され、回転刃１３１がフレコンバッグ１０を外側から周方向に切断することになる（図６参照）。
【００３９】
その後、カッター装置１３０は、カッター装置１３０本体（旋回テーブル１３４）に回転自在に支持されているピニオンギヤ１３２を電動モータ等により回転駆動することで、該ピニオンギヤ１３２と噛合する円環状のリングギヤ１３３に沿ってフレコンバッグ１０の周囲を移動することになる（図３、図５、図６、図８の（４）参照）。
【００４０】
但し、リングギヤ１３３の代わりに、同じ場所に、チェーンを円環状に巻き付けて解袋装置１００本体（フレーム等）に固定する一方、ピニオンギヤ１３２に代えて前記チェーンに係合可能なスプロケットを回転駆動することで、カッター装置１３０をフレコンバッグ１０の周囲を旋回移動させることもできる。
【００４１】
ところで、カッター装置１３０のフレコンバッグ１０の周囲の移動は、カッター装置１３０を、解袋装置１００本体に対してフレコンバッグ１０の周囲を回動自在にベアリング等を介して支持する旋回テーブル１３４上に支持させ、その旋回テーブル１３４の旋回をガイドレールなどによりガイドさせることができる。
【００４２】
このように、カッター装置１３０をフレコンバッグ１０の周囲を移動（回転、旋回）させることにより、カッター装置１３０の回転刃１３１は、フレコンバッグ１０を周方向に沿って連続的に切断することになる（図６参照）。
【００４３】
そして、図６に示したように、ある程度（周方向角度で３００°程度の切断範囲）まで切断が進んだところで、切断された側（回転刃１３１より下側のフレコンバッグ１０）と、残りの側（回転刃１３１より上側のフレコンバッグ１０）と、が完全に分離してしまわないように、フレコンバッグ１０の周方向の一部に非切断部を残して切断を終了し、フレコンバッグ１０からカッター装置１３０の回転刃１３１を退避させる（カッター装置１３０を半径方向外側に移動させてフレコンバッグ１０と回転刃１３１との接触を解除する）。
【００４４】
なお、カッター装置１３０のフレコンバッグ１０の中心方向（中心位置）に向けての移動や退避は、油圧シリンダ等の伸縮式のアクチュエータを利用することで容易に行わせることができる。このため、カッター装置１３０の回転刃１３１は、フレコンバッグ１０の形状に応じて、フレコンバッグ１０への刃の食い込み量が調整可能な構造となっている。
また、カッター装置１３０の回転刃１３１の移動軌跡は、円形状に限定されるものではなく、フレコンバッグ１０の外周形状等に合わせて、例えば楕円形状、多角形形状の移動軌跡上を移動するように構成することができる。
【００４５】
ところで、上述したように、内容物が充填されたフレコンバッグ１０の外周を周方向に切断しても、本実施の形態では、支持装置１４０がフレコンバッグ１０を下方から支持しているので、切断の途中で、フレコンバッグ１０から内容物の一部が排出されてしまいフレコンバッグ１０が切断に良好な円柱形状を保つことができず、以降良好な切断が行えなくなり、目標位置（図６の切断終了位置）まで切断できなくなるといったことを確実に防止できるようになっている。
【００４６】
なお、目標位置（図６の切断終了位置、周方向角度で３００°程度の切断範囲）まで切断できなくなると、支持装置１４０を解放して排出口（図７参照）を開放した際にフレコンバッグ１０から全ての内容物が良好に排出できなくなり後処理が煩雑化するといった不具合が生じるが、支持装置１４０により下方からフレコンバッグ１０を支持した状態で切断を行うようにしたことで目標位置まで確実に切断することができるため、そのような不具合を確実かつ効果的に防止できることになる。
【００４７】
ここで、支持装置１４０は、図３に示したように、一対の開閉板１４１、１４２を含んで構成されている。
一対の開閉板１４１、１４２は、枢軸１４１Ａ，１４２Ａを介して開閉自在（回動自在）に解袋装置１００本体（フレーム等）に対して支持されている。
【００４８】
フレコンバッグ１０を下方から支持する支持状態では、一対の開閉板１４１、１４２は略水平状態（閉状態）に維持されている（図３、図８の（２）参照）。
【００４９】
ところで、フレコンバッグ１０は吊り具等により上方から吊下げられているため、フレコンバッグ１０の全質量を支持装置１４０が支持する必要はなく、カッター装置１３０による切断処理が良好に行える程度にフレコンバッグ１０を下方から支持することができれば十分である。但し、フレコンバッグ１０の全質量を支持した方が切断処理を円滑に行うことができる場合もあるため、支持装置１４０を、フレコンバッグ１０の全質量を支持することができる高い強度を有して構成することもできる。
【００５０】
そして、この略水平状態（閉状態）にて、カッター装置１３０がフレコンバッグ１０の周囲を周方向に移動して、目標位置（周方向角度で３００°程度の切断範囲）まで切断を行い、その後、フレコンバッグ１０から離れて退避位置まで移動したら、本実施の形態では、油圧シリンダ等のアクチュエータ（図示せず）により、支持装置１４０の一対の開閉板１４１，１４２を枢軸１４１Ａ、１４２Ａ廻りに下方に向けて回動させて開放状態（支持を解放して排出口を開放した状態）とする（図７参照）。
【００５１】
この開放状態への移行により、カッター装置１３０によりフレコンバッグ１０は周方向に一部の非切断部を残して切断されているので、フレコンバッグ１０の内容物は支持装置１４０の一対の開閉板１４１，１４２の間の排出口（図７参照）を通過して下方へ排出されることになる（図７、図８の（５）参照）。
【００５２】
このとき、カッター装置１３０により切断された側（回転刃１３１より下側）のフレコンバッグ１０は、下方へ排出される内容物と一緒に下方に落下することなく、非切断部により残りの側（回転刃１３１より上側）のフレコンバッグ１０との接続が保たれているため、下方に垂れ下がることになる（図８の（５）、（６）参照）。
【００５３】
なお、回転刃１３１より上側のフレコンバッグ１０は、ベルト１１を介して吊り具等を介して吊られているため、下方へ落下することはない（図８の（６）参照）。
【００５４】
すなわち、本実施の形態によれば、フレコンバッグ１０内の内容物を下方に全て排出させることができると共に、排出した内容物と、フレコンバッグ１０と、を確実に分別することができる。
【００５５】
言い換えれば、本実施の形態によれば、比較的簡単で低コストな構成でありながら、袋状容器（例えばフレキシブルコンテナバッグ）と内容物とを分別しながら、袋状容器から内容物を排出させることができる袋状容器の解袋装置を提供することができる。
【００５６】
なお、本実施の形態では、カッター装置１３０を回転刃１３１を回転させる方式を例に説明したが、本発明はこれに限定されるものではなく、チェーンソー、レシプロソー、ジグソーその他の刃（カッター、ソー）により切断する構成とすることができる。
【００５７】
ところで、図８の（２）〜（６）において、フレコンバッグ１０は吊り具等により上方から吊下げられている。このため、フレコンバッグ１０の全質量を支持装置１４０が支持する必要はなく、カッター装置１３０による切断処理が良好に行える程度にフレコンバッグ１０を下方から支持することができれば十分である。従って、支持装置１４０は比較的簡単な構成とすることができるものである。
【００５８】
また、本実施の形態では、支持装置１４０の一対の開閉板１４１，１４２の先端を隙間なく密着させて例示したが、カッター装置１３０により切断された側（回転刃１３１より下側）のフレコンバッグ１０が落下しないように支えることができれば、開閉板１４１，１４２の先端の間や横方向にある程度の隙間があっても良いものである。
【００５９】
また、開閉板１４１，１４２は、図３に例示したような開口部のない平板により構成する場合に限らず、棒状要素にてフレコンバッグ１０の下方を支持する構成とすることも可能であるし、棒状要素やフレーム要素を格子状に溶接等したものにより構成することなども可能である。
【００６０】
更に、本実施の形態では、支持装置１４０の開閉機構を枢動により開閉する機構を例に説明したが、本発明はこれに限定されるものではなく、スライドゲート方式の開閉機構などを採用することも可能である。
【００６１】
また、本実施の形態では、水平断面における外周形状が円形状のフレコンバッグ１０を例に説明したが、本発明はこれに限定されるものではなく、本発明に係る解袋装置は、内容物を袋状容器と分別しながら排出させるための解袋装置として利用することができるものであり、水平断面における外周形状は三角形状、矩形状、多角形状など特に限定されるものではない。
【００６２】
また、本実施の形態では、固定装置１２０を含む場合を例示したが、収容部１１０に適度な密着度合いで袋状容器を収容することができ、カッター装置１３０による切断処理を良好に行うことができる場合には、解袋装置１００から固定装置１２０を省略することができる（可動壁１２１を固定式とすることができる）。
【００６３】
ところで、本実施の形態では、カッター装置１３０によりフレコンバッグ１０を周方向に切断する際に、周方向の一部を切断しないで非切断部を残してフレコンバッグ１０の切断線より上側の上側部分と下側部分とが接続された状態とすることとして説明したが、本発明はこれに限定されるものではない。
すなわち、例えばフレコンバッグ１０の上側部分を内容物と分別できれば十分である場合や、フレコンバッグ１０の下側部分が内容物と混ざった後でも容易に分別することができる或いは混ざった状態でも後処理が可能であるような場合には、非切断部を残すことなく全周を切断して、切断されたフレコンバッグ１０の下側部分を内容物と一緒に排出した後において、そのフレコンバッグ１０の下側部分を回収する或いは後処理をするといった構成とすることも可能である。
【００６４】
以上で説明した本発明に係る実施の形態は、本発明を説明するための例示に過ぎず、本発明の要旨を逸脱しない範囲内において、種々変更を加え得ることは可能である。
【符号の説明】
【００６５】
１０      フレキシブルコンテナバッグ（フレコンバッグ：本発明の袋状容器の一例に相当する）
２０      ベルトコンベア
３０      指定収納容器
１００      袋状容器の解袋装置（破袋装置）
１１０      収容部
１２０      固定装置（本発明に係る固定手段の一例に相当）
１２１      可動壁
１２１Ａ    枢軸
１２２      油圧シリンダ（アクチュエータ）
１３０      カッター装置
１３１      回転刃（カッター）（本発明に係る切断手段の一例に相当）
１３２      ピニオンギヤ（或いはスプロケット）
１３３      リングギヤ（或いは環状配置されたチェーン）
１３４      旋回テーブル
１４０      支持装置（本発明に係る支持手段の一例に相当）
１４１、１４２  開閉板
【図１】
0006444846.tif 000002
【図２】
0006444846.tif 000003
【図３】
0006444846.tif 000004
【図４】
0006444846.tif 000005
【図５】
0006444846.tif 000006
【図６】
0006444846.tif 000007
【図７】
0006444846.tif 000008
【図８】
0006444846.tif 000009
【図９】
0006444846.tif 000010